(57)【要約】      （修正有）【課題】歩いて脱げづらく、歩き易く、暖かく、ムレず、外反母趾を改善し、格納性に優れた前部（指先部）を二股にした前部を二股にしたスリッパを提供する。【解決手段】足裏に対応したソール部１と、二股に分かれた足の指先部や甲部分を覆うアッパー部２のみによって構成されており、アッパー部２には、布地などのフィット性や通気性に優れた部材を用い、親指全体が第１アッパー部２１により包み込まれるとともに、人差し指の親指側側面も第２アッパー部２２が触れた状態で覆われることになるので足指に対する布地の接触面が多く、足指が冷えにくく、暖かくすることができる。外反母趾で、つま先の裏が硬くなり歩くのがつらい人に対し、足裏にかかる圧力を分散するので快適な歩行が出来る。スリッパを多数重ねた場合でも、スリッパ同士の結合度が高く、外れにくいため、極めて高い格納性を発揮す。【選択図】図２
2019141251.tif 000002
【特許請求の範囲】
【請求項１】
前部を二股にしたことを特徴とする足袋スリッパ。
【発明の詳細な説明】
【技術分野】
【０００１】
本発明は、スリッパに関し、特に、足袋のように前部を二股とした足袋スリッパに関する。
【背景技術】
【０００２】
簡易な履物としてスリッパが知られている。
公知のスリッパは、図１に示すように、足指の全部を一体カバーするものである。
【発明の概要】
【発明が解決しようとする課題】
【０００３】
ところが、公知のスリッパは、以下のような問題があった。
公知のスリッパは足指がくっついているのでムレやすいという欠点があった。また公知のスリッパは、歩いているときなどに図１の矢印のように脱げやすいという問題があった。
これは公知のスリッパは、足指自体の外側のみの摩擦で支えている事によるものであり、更にこの外側のサイズがフリーサイズであることにも起因する。
つまり、サイズが統一的であるため、そのサイズが利用者によっては大きすぎる場合があるからである。
特に、公知のスリッパは、多くの利用者が履けるよう、平均的サイズよりもやや大きめに作られていることが多い。
このため、公知のスリッパは、歩行中に脱げ易く、歩きづらく、従って歩行の際には疲れ易い問題もあった。
また、公知のスリッパは、足指が冷えやすいなどの問題もあった。
【０００４】
本発明は、以上のような事情に鑑みなされたものであり、前部を二股にした足袋スリッパの提供を目的とする。
【課題を解決するための手段】
【０００５】
上記目的を達成するため、本発明の足袋スリッパは、前部を二股とする事により解決する。
【発明の効果】
【０００６】
本発明によれば、ムレ無い事、歩行中に脱げ易く、歩き易く、暖かく、外反母趾にならない事、外反母趾になった人も痛くなく楽に歩ける事。足裏のツボを押せる、など健康増進に役立ち、又、格納性にも優れ、且つコストアップしない履物を提供することができる。
【図面の簡単な説明】
【０００７】
【図１】公知のスリッパの平面図である。
【図２】本発明の足袋スリッパを示す図面であり、（ａ）は正面図、（ｂ）は左側面図、（ｃ）は右側面図、（ｄ）は背面図、（ｅ）は平面図、（ｆ）は底面図である。
【図３】本発明の他の実施例ハイヒールの側面図
【図４】同上                          上面図
【図５】本願発明の他の実施例  足裏ツボ押しの側面図
【図６】図上上面図
【図７】本発明他の実施例ヒモ付の側面図
【図８】同上                    上面図
【図９ａ】外反母趾の説明
【図９ｂ】本発明が外反母趾にならない説明
【発明を実施するための形態】
【０００８】
以下、本発明の足袋スリッパの実施形態について、図面を参照しながら説明する。
【０００９】
図２は、本発明の足袋スリッパの六面図である。
図２に示すように本発明の足袋は、足裏に対応したソール部１と、二股に分かれた足の指先部や甲部分を覆うアッパー部２のみによって構成されており、前部（指先部）を二股にした特徴的な形状を有している。
ソール部１には、ゴムやフェルトなどの滑りにくい部材を用い、アッパー部２には、布地などのフィット性や通気性に優れた部材を用いることが好ましい。
アッパー部２は、親指に対応した第１アッパー部２１と、人差し指を含む残りの指に対応した第２アッパー部２２とから構成され、これらを縫合することで、指先部が二股になるようにすると、本発明製品の製造を容易にする事が出来る。ただし２１と２２を縫合せず、あらかじめ一体のものとした場合も本発明に含まれる。
ソール部１は、アッパー部２の形状に対応した形状からなり、周縁部が、アッパー部２と縫合されている。
このような構造の足袋スリッパは、二股部３を親指と人差し指で挟むようにして履くことになる。
このため、足袋スリッパを履いた状態では、人の足指とスリッパの接触面積が広くスリッパと一体感が増すことから、歩いても脱げにくい効果を奏する。
【００１０】
前記のごとく親指全体が第１アッパー部２１により包み込まれるとともに、人差し指の親指側側面も第２アッパー部２２が触れた状態で覆われることになるので、足指に対する布地の接触面が多く、足指が冷えにくく、暖かくすることができ、例えば、冬場や寒冷地でも、しもやけになりにくい。
【００１１】
また、足袋スリッパは、親指部が独立しているため、特に親指の床に対する接地性が良い。
このため、歩行の際、床に対する踏ん張りがきくため、歩き易く、長時間の歩行でも疲れにくい。
【００１２】
また親指が他の指と分離しているので、ムレにくい。
【００１３】
また外反母趾で、つま先の裏が硬くなり歩くのがつらい人に対し、本発明は足裏にかかる圧力を分散するので快適な歩行が出来る。
【００１４】
さらに、足袋スリッパは、格納性に優れた側面を有している。
例えば、公知のスリッパを片付ける場合、あるスリッパの履き口に他のスリッパの前部を挿入するなどして、重ねて格納することが多い。
ただし、この場合、一方のスリッパの外側面と他方のスリッパの内側面との接触（摩擦）によってある程度の結合性は保てるものの、数多くのスリッパを重ねたときに結合性が保てず外れ易い。
これに対し、本発明の足袋スリッパの場合、一の足袋スリッパ（例えば右用）の二股部３の内側に対しても、他の足袋スリッパ（同じく右用）の二股部３が入れ子状に重なるため、より多くの接触面を介して重ねることができるので、縦に収納してもズリ落ちない。
また、このとき、他の足袋スリッパの二股部３の間に、一の足袋スリッパの二股部３を楔（くさび）のように入り込ませることができる。
このため、足袋スリッパを多数重ねた場合でも、足袋スリッパ同士の結合度が高く、外れにくいため、極めて高い格納性を発揮することができる。
【００１５】
図３は本発明他の実施例ハイヒールをなす。本発明図２とコンセプトは同じであるが、高いカカト４を設けた外出用としたものである。その先端を２１、２２のごとく別れて３を形成していることにより足指の先端にかかる圧力を広い面で受けて分散している事により、外反母趾を防止することが出来る。図４は図３の上面図である。
【００１６】
図５は図３のハイヒール４の代わりにローヒール５とし、ソール１をショートソール１１とし、アッパー２をミドルアッパー２３とした本発明の他の実施例であり、この構造により歩くたびに足裏のツボ７を矢印のごとく押し、健康増進に役立つ本発明である。
図６は図５の上面図である。
【００１７】
図７はカカト部にヒモなどストッパ８を設けた本発明実施例で、これにより歩く時、足がパカパカする事がない。
【００１８】
尚、ストッパ８はひもでもベルトでもよく、結んだり、ビジョウで留めたり、長さ調整部を設けてもよい。
図８は図７の上面図である。
【００１９】
図９は従来多くの女性が悩んでいる外反母趾に本発明がなぜ効果があるかの説明図で、図９（a）図は公知のハイヒールを履いて、多くの女性が悩んでいる外反母趾９が発生する説明である。
図９（b）図は本発明ハイヒール又はスリッパが外反母趾を防止する又はすでに外反母趾になった人の症状をやわらげる本発明の理論の説明である。本発明は二肢部３が開くようになっているので足指が３０の方向に開く。又、本発明アッパー部２の左右から足に力１０が左右からかかり、五本の指が使え、横アーチを形成するので、人間本来の健康的歩行が出来、外反母趾にならない大きな効果が本発明にあり、又、外反母趾になった人も痛がらずに歩け、楽になるのが本発明の効果である。
【００２０】
尚、本発明の名称や特許請求の範囲がスリッパとなっているが、本発明は室内履物のみならず前記図３&#12316;図８に示した本発明実施例で述べた屋外用ハイヒールやその他の履物も本発明に含まれるものである。
以上、本発明の足袋スリッパの実施形態の数例について説明したが、本発明は上述した実施形態にのみ限定されるものではなく、本発明の範囲で種々の変更実施が可能である。
例えば、上述の実施形態では、親指と人差し指を分ける二股形状のものについて例示したが、二股部３を中央付近に設けるなどして全体を左右対称の形状にすることもできる。
これにより、足袋スリッパを左右問わず重ねても結合度高く格納することができる。
また、いわゆる前部のみならず、後部にも二股部３を設けた場合も本発明に含まれる。
これにより、足袋スリッパの向きを前後交互に変えて重ねる場合でも結合度高く格納することができる。
【産業上の利用可能性】
【００２１】
本発明は、従来に無い履物でかつ前記のごとく、多くの利点があるので家庭のみならず、工場、事務所、病院等産業上の利用可能性がある。
【符号の説明】
【００２２】
１  ソール部
１１  スマートソール
２  アッパー部
２１  第１アッパー部
２２  第２アッパー部
２３  ミドルアッパー
３  二股部
３０  二股部により左右に拡げて力を分散する方向
４  ハイヒールかかと
５  ローヒールかかと
６  足
７  足裏ツボ
８  ひも等足おさえ
９  外反母趾部
１０脚の左右を押す方向
【図１】
2019141251.tif 000003
【図２】
2019141251.tif 000004
【図３−６】
2019141251.tif 000005
【図７−９】
2019141251.tif 000006
【手続補正書】
【提出日】平成31年4月12日(2019.4.12)
【手続補正１】
【補正対象書類名】特許請求の範囲
【補正対象項目名】請求項１
【補正方法】変更
【補正の内容】
【請求項１】
前部に親指に対応した第１アッパー部と他の指に対応した第２アッパー部を有し、前記第１アッパー部と前記第２アッパー部は、つま先に向けて両者間の間隔が広くなる二股状であることを特徴とする足袋スリッパ。
【手続補正２】
【補正対象書類名】明細書
【補正対象項目名】００２１
【補正方法】変更
【補正の内容】
【００２１】
本発明は、従来に無い履物でかつ前記のごとく、多くの利点があるので家庭のみならず、工場、事務所、病院等産業上の利用可能性がある。
下記は、本願の出願当初に記載されていた発明である。
＜請求項１＞
前部を二股にしたことを特徴とする足袋スリッパ。